(57)【要約】    【課題】  糊の付着を軽減し、以ってロール紙の安定した供給を実現したロール紙支持装置を提供する。【解決手段】  ロール紙Ｒが装着される支持部５１と、支持部に装着されたロール紙の幅方向に設けられたシャフト部５４と、シャフト部に案内されて移動可能に設けられ、シャフト部の中央部位と一方の側面部との間を移動可能な第１の移動支持部３ａと、シャフト部の中央部位と他方の側面部との間を移動可能な第２の移動支持部３ｂと、移動支持部に立設状態に固定・支持された軸部４、およびこの軸部の上端部にて軸部に対し回動自在とさた第１の回転ガイド体本体５、並びに軸部の下端部にて軸部に対し回動自在とされた第２の回転ガイド体本体６を備える回転ガイド体２と、を備える。そして、シャフト部に沿って第１および第２の移動支持部を離間し支持部を開放してロール紙を装着し、かつ、第１および第２の移動支持部を近接して回転ガイド体をロール紙に当接する。【選択図】  図１
2012240834.tif 000002
【特許請求の範囲】
【請求項１】
ロール紙が装着される支持部と、
前記支持部に装着された前記ロール紙の幅方向に設けられたシャフト部と、
前記シャフト部に案内されて移動可能に設けられ、前記シャフト部の中央部位と一方の側面部との間を移動可能な第１の移動支持部と、
前記シャフト部の中央部位と他方の側面部との間を移動可能な第２の移動支持部と、
前記移動支持部に立設状態に固定・支持された軸部、およびこの軸部の上端部にて軸部に対し回動自在に設けられた第１の回転ガイド体本体、並びに前記軸部の下端部にて軸部に対し回動自在に設けられた第２の回転ガイド体本体を備える回転ガイド体と、を備えたロール紙支持装置であって、
前記シャフト部に沿って前記第１および第２の移動支持部を離間し前記支持部を開放して前記ロール紙を装着するとともに、第１および第２の移動支持部を近接して前記回転ガイド体を前記ロール紙に当接することを特徴とするロール紙支持装置。
【発明の詳細な説明】
【技術分野】
【０００１】
本発明は、特に、糊が付着したロール紙の繰出しを円滑とし、かつ、ロール紙の振れを防止して用紙（ロール紙）供給の安定化を図ったロール紙支持装置に関する。
【背景技術】
【０００２】
従来、支持部に、ロール状に巻回されたロール紙を装着し、所定の位置に位置決めするような支持装置が知られている（例えば、特許文献１参照）。
特許文献1に開示され、図６に示されるロール紙支持装置５０は、ロール状に巻回された記録紙や帯状台紙上に仮着されているラベルやシールといったロール紙Ｒに印字を行うプリンタやファクシミリに用いられ、図示省略の印字部に供給されるロール紙Ｒを支持する装置であり、ロール紙Ｒが投げ入れられて装着・支持される支持部５１と、ロール紙Ｒの軸方向の位置決めを行なう左側ガイド５２および右側ガイド５３と、支持部５１に支持されるロール紙Ｒの軸方向に配置されているシャフト部５４と、を備える。
左側ガイド５２は、支持部５１に装着されたロール紙Ｒの左側面に当接して左側の位置きめを行なう左側ガイド板５５と、この左側ガイド板５５と一体で形成されると共に前記シャフト部５４に沿って軸方向に移動される移動部５６を備えている。
また、右側ガイド５３は、左側ガイド部５２と面対称の形状であり、支持部５１に支持されるロール紙Ｒの右側面に当接して右側の位置決めを行う右側ガイド板５７と、この右側ガイド板５７と一体で形成されると共に前記シャフト部５４に沿って軸方向に移動される移動部５８を備えている。
そして、シャフト部５４を回転すると左右側ガイド板５５、５７は、シャフト部５４に沿って反対方向に連動して移動され、支持部５１に装着したロール紙Ｒを印字範囲の中央部位に位置決めするとともに、幅方向でのブレを抑止するようになっている。
ところで、支持部５１に装着されたロール紙Ｒは印字に応じ繰り出されるが、ロール紙Ｒによりガイド板５５、５７に糊が付着することがあり、糊の付着によってロール紙Ｒの繰り出しに影響を及ぼす虞があるという問題があった。
【先行技術文献】
【特許文献】
【０００３】
【特許文献１】特開２００６−３６５１５号公報
【発明の概要】
【発明が解決しようとする課題】
【０００４】
本発明は、上記の問題点に着目して成されたものであり、糊の付着を軽減し、以ってロール紙の安定した供給を実現したロール紙支持装置を提供することを課題とする。
【課題を解決するための手段】
【０００５】
本発明の請求項１に係るロール紙支持装置は、ロール紙が装着される支持部と、前記支持部に装着された前記ロール紙の幅方向に設けられたシャフト部と、前記シャフト部に案内されて移動可能に設けられ、前記シャフト部の中央部位と一方の側面部との間を移動可能な第１の移動支持部と、前記シャフト部の中央部位と他方の側面部との間を移動可能な第２の移動支持部と、前記移動支持部に立設状態に固定・支持された軸部、およびこの軸部の上端部にて軸部に対し回動自在に設けられた第１の回転ガイド体本体、並びに前記軸部の下端部にて軸部に対し回動自在に設けられた第２の回転ガイド体本体を備える回転ガイド体と、を備えたロール紙支持装置であって、前記シャフト部に沿って前記第１および第２の移動支持部を離間し前記支持部を開放して前記ロール紙を装着するとともに、第１および第２の移動支持部を近接して前記回転ガイド体を前記ロール紙に当接することを特徴とする。
【発明の効果】
【０００６】
本発明のロール紙支持装置は、支持部に装着したロール紙が、両端を回転ガイド体にて支持されるとともに、第１の回転ガイド体本体がロール紙の上方部位、また、第２の回転ガイド体本体がロール紙の下方部位において当接して各々回転するため、ロール紙Ｒの繰り出しが円滑であり、かつ、ブレが少なく、さらに、ロール紙と第１および第２の回転ガイド体本体５とが点接触状態となるため、糊が付着しにくいという効果がある。
【図面の簡単な説明】
【０００７】
【図１】本発明に係るロール紙支持装置の概略斜視図である。
【図２】同、図１中、矢示ＩＩ方向より見た正面図である。
【図３】同、ロール紙が消耗されて残り少なくなった状態を示す図２相当の正面図である。
【図４】同、図２中、矢示ＩＶ方向より見た側面図である。
【図５】同、図３中、矢示Ｖ方向より見た側面図である。
【図６】従来のロール紙支持装置を示す概略斜視図である。
【発明を実施するための形態】
【０００８】
以下、本発明に係るロール紙支持装置の一実施の形態につき、図１ないし図５に基づいて説明する。
なお、以下では、従来と共通する部分については同一符号を以て示すこととし、重複する説明は省略する。
【０００９】
同図に示すように、ロール紙支持装置１は、主に、ロール紙Ｒが投げ入れられて装着・支持される支持部５１と、ロール紙Ｒの軸方向の位置決めを行なう一対の回転ガイド体２と、支持部５１に支持されるロール紙Ｒの軸方向に配置されているシャフト部５４と、前記回転ガイド体２を支持するとともに、前記シャフト部５４に沿って軸方向に移動される移動支持部３と、を備える。
なお、Ｓは、ロール紙Ｒの支管であり、この支管Ｓに図示省略の記録紙や帯状台紙上に仮着されているラベルやシールを巻回して「記録媒体」としてのロール紙Ｒが形成されるものである。
【００１０】
回転ガイド体２は、軸部４と、円筒状の第１の回転ガイド体本体５と、第２の回転ガイド体本体６とを備えている。
軸部４は、後述する移動支持部３に立設状態に固定・支持されている。
第１の回転ガイド体本体５は、図１における上下方向（高さ方向）の長さ（サイズ）がｈ１であり、軸部４の上端部において軸部４に対し回動可能に嵌装されている。
同様に、第２の回転ガイド体本体６は、長さ（サイズ）がｈ２であり、軸部４の下端部において軸部４に対し回動可能に嵌装されている。
また、第１の回転ガイド体本体５の長さｈ１は、第２の回転ガイド体本体６の長さｈ２に比し長いサイズ（長さ）とされている。
なお、第１の回転ガイド体本体５と第２の回転ガイド体本体６の間は、所定距離Ｘはなされている（長さｈ１、ｈ２および所定距離Ｘについての詳細は後述する）。
【００１１】
移動支持部３は、第１および第２の移動支持部３ａ、３ｂより成る。
第１の移動支持部３ａは、回転ガイド体２の軸部４を立設状態に固定・支持するとともに、シャフト部５４に沿って移動可能とされており、図１におけるシャフト部５４の軸方向の中央部位と、中央部位より軸方向の左側面（図１における左側）との間を移動するようにされている。
また、第２の移動支持部３ｂは、第１の移動支持部３ａと同様、回転ガイド体２の軸部４を立設状態に固定・支持するとともに、シャフト部５４に沿って移動可能とされており、図１における軸方向の中央部位と、中央部位より右側面との間を移動する右側用の移動支持部３ｂとから形成されている。すなわち、左側用の第１の移動支持部３ａに立設された回転ガイド体２は、シャフト部５４の中央部位と、図１における左側面との間を移動自在とされ、他方、右側用の第２の移動支持部材３ｂに立設された回転ガイド体２は、シャフト部５４の中央部位と、右側面の間を移動自在とされており、シャフト部５４を一方向へ回転させると、左側および右側用の移動支持部３ａ、３ｂが中央部位から離反する方向へ移動するようになっている。そして、前記移動支持部３ａ、３ｂの離反方向への移動に伴い回転ガイド体２が左右に広がり、支持部５１の中央部位を広く開ける。広く開けられた支持部５１にロール紙Ｒを装着後、今度はシャフト部５４を他方向へ回転させることにより、左側および右側用の移動支持部３ａ、３ｂを中央部位側に近接させ、支持部５１に装着したロール紙Ｒの左右両側面に回転ガイド体２を当接してロール紙Ｒを印字範囲の中央部位に位置決めするとともに、幅方向でのブレを抑止するようになっている。
なお、第２の回転ガイド体本体６の下端部は、高さ方向において、ほぼ支持部５１の下端部５１ａと同じ高さになるよう配設されている。
【００１２】
次に、図１ないし図５に基づき、ロール紙支持装置１の使用状態を説明する。
図１および図２並びに図４は、使い始めのロール紙Ｒ、すなわち、支管Ｓにラベルやシール（図示省略）が多く巻回された巻き径が大きい状態のロール紙Ｒが支持部５１に装着されるとともに、幅方向の中央部位に位置決めされた状態を示す図であり、また、図３および図５は、ロール紙Ｒが消耗されて巻き径が小さくなった状態を示す図である。
先ず、図１および図２並びに図４に基づき、ロール紙Ｒの使い始めの状態を説明する。
支持部５１に装着可能なロール紙Ｒの最大径は、Ｄ１とされ、また、支管Ｓの直径はＤ２とされており、同図においては、最大径Ｄ１のロール紙Ｒが装着された状態を示している。
なお、支管Ｓの直径Ｄ２およびロール紙Ｒの最大径Ｄ１は、これを用いるプリンタやファクシミリなどの機種（種類）によって決められており、特に、支管Ｓの直径Ｄ２は、１インチ、２インチ・・・と、ほぼ1インチ単位に設定されている。
ここで、軸部４に回動可能に嵌装された第１および第２の回転ガイド体本体５、６の高さ方向の長さ（サイズ）ｈ１、ｈ２、並びに第１および第２の回転ガイド体本体５、６間の所定距離Ｘと、前述のロール紙Ｒの最大径Ｄ１との関係を説明すると、
（１）第1の回転ガイド体本体５の長さｈ１は、第２の回転ガイド体本体６の長さｈ２のほぼ２倍。
（２）第２の回転ガイド体本体６の長さｈ２は、ロール紙Ｒの最大径Ｄ１から支管Ｓの直径Ｄ２を差し引いた値のほぼ二分の一。
（３）所定距離Ｘは、ほぼ第２の回転ガイド体本体６の長さｈ２と同じ。
（４）上記（１）ないし（３）より、第２の回転ガイド体本体６の長さｈ２の４倍が、ほぼロール紙Ｒの最大径Ｄ１に相当する。逆説的に、ロール紙Ｒの最大径Ｄ１の四分の一が、ほぼ第２の回転ガイド体本体６の長さｈ２とされている。
上記長さ（サイズ）ｈ１、ｈ２の回転ガイド体本体５、６や所定距離Ｘなどを以って形成された回転ガイド体２を用い、支持部５１に装着されたロール紙Ｒを位置決めする。すなわち、シャフト部５４を回転し移動支持部３ａ、３ｂを支持部５１の幅方向において移動させることにより、前記移動支持部３ａ、３ｂに固定・支持された回転ガイド体２が、支持部５１に装着されたロール紙Ｒの幅方向における左側および右側の側面に当接して幅方向のほぼ中央部位にロール紙Ｒを位置決めするものであり、回転ガイド体２の第１の回転ガイド体本体５が、支持部５１に装着されたロール紙Ｒの上方部位に、また、第２の回転ガイド体本体６が、ロール紙Ｒの下方部位に、各々当接する。
第１および第２の回転ガイド体本体５、６を備えた回転ガイド体２に左右両側面を支持されたロール紙Ｒは、印字動作などにより支持部５１より繰り出されるが、ロール紙Ｒの側面に当接した第１および第２の回転ガイド体本体５、６が回転するため、ロール紙Ｒの幅方向におけるブレを抑止した上で繰り出しが円滑であり、しかも、第１および第２の回転ガイド体本体５、６の円周部においてロール紙Ｒは点接触状態となるため、先の回転と相俟って糊（図示省略）が付着しにくいものである。
なお、第１および第２の回転ガイド体本体５、６は、回転方向が逆となる。すなわち、繰り出し方向Ａ（図１および図４参照）よりロール紙Ｒを繰り出すと、ロール紙Ｒの回転により第１の回転ガイド体本体５は矢示Ｍへ、また、第２の回転ガイド体本体６は矢示Ｎ方向へ、各々回転するが、第１の回転ガイド体本体５と、第２の回転ガイド体本体６が所定距離Ｘはなされ、しかも、軸部４に対して各々の回転ガイド体本体５，６が回動可能に設けられているため、繰り出しは円滑なものである。
【００１３】
ロール紙Ｒが消耗されて巻き径が小さくなると（主に、図３および図５参照）、支管Ｓが支持部５１の下端部５１ａ近くにまで達するとともに、装着されているロール紙Ｒ全体が下方へ下がる。
しかしながら、高さ方向において、支持部５１の下端部５１ａとほぼ同じ高さに下端部が配設されるとともに、高さ方向の長さ（サイズ）ｈ２を備えた第２の回転ガイド体本体６と、この第２の回転ガイド体本体６より所定距離Ｘはなれた情報に設けられた第１の回転ガイド体本体５がロール紙Ｒの下方部位および上方部位において当接しているため、ロール紙Ｒの繰り出しは円滑なものである。
【００１４】
なお、本発明のロール紙支持装置１が搭載されたプリンタやファクシミリは、使用する形態により繰り出し方向が異なる場合がある。
例えば、先の繰り出し方向Ａとは異なる繰り出し方向Ｂ（図４において想像線で図示）よりロール紙Ｒが繰り出される場合があるが、繰り出し方向が異なりロール紙Ｒの回転方向が先の回転方向と変わったとしても、軸部４において所定距離Ｘはなされるとともに、軸部４に対して回動可能に設けられた第１および第２の回転ガイド体本体５、６が、ロール紙Ｒの回転方向に沿う方向で各々回転するので、繰り出しが円滑なものである。
【００１５】
上述したように、支持部５１に装着したロール紙Ｒは、両端を回転ガイド体２にて支持されるとともに、繰り出される際、第１の回転ガイド体本体５がロール紙Ｒの上方部位、また、第２の回転ガイド体本体６がロール紙Ｒの下方部位において各々回転するため、ロール紙Ｒの回転が円滑であり、かつ、ロール紙Ｒと第１および第２の回転ガイド体本体５、６とが点接触状態となるため、糊が付着しにくい。
また、軸部４並びに第１および第２の回転ガイド体本体５、６により形成された回転ガイド体２は、従来の「ガイド体」のように右側用および左側用と区別する必要がないので、部品の付け間違えが発生しないものである。
【００１６】
なお、上記実施の形態の構成及び動作は例であって、本発明の趣旨を逸脱しない範囲で適宜変更することができることは言うまでもない。
【符号の説明】
【００１７】
Ｒ    ロール紙（ラベル連続体）
Ｘ    所定距離
ｈ１  （第１の回転ガイド体本体５の高さ方向の）長さ（サイズ）
ｈ２  （第２の回転ガイド体本体６の高さ方向の）長さ（サイズ）
Ｄ１  ロール紙Ｒの最大径
Ｄ２  支管Ｓの直径
１    ロール紙支持装置
２    回転ガイド体
３    移動支持部
３ａ  第１の移動支持部
３ｂ  第２の移動支持部
４    軸部
５    第１の回転ガイド体本体
６    第２の回転ガイド体本体
５０  ロール紙支持装置（従来）
５１  支持部
５１ａ  下端部
５２  左側ガイド
５３  右側ガイド
５４  シャフト部
５５  左側ガイド板
５６  （左側）移動部
５７  右側ガイド板
５８  （右側）移動部
【図１】
2012240834.tif 000003
【図２】
2012240834.tif 000004
【図３】
2012240834.tif 000005
【図４】
2012240834.tif 000006
【図５】
2012240834.tif 000007
【図６】
2012240834.tif 000008